(57)【要約】      （修正有）【課題】アンカー部材に髪の毛等が絡んだり、アンカー部材によって傷めたりすることがない顔面装着部材の支持構造を提供する。【解決手段】予め顔面１０に取付けられているアンカー部材２０にマスクカバー３０の左右両端部である延出部３２を止着する。アンカー部材２０の表面側を支持部２１としてマグネットで構成する。延出部３２には、マグネットの支持部２１へ磁力で吸着される鉄等の強磁性体からなる被支持部３３が設けられる。延出部３２をアンカー部材２０の上へ重ねると、被支持部３３がマグネットの支持部２１へ磁力で吸着され、アンカー部材２０へ着脱自在に固定される。アンカー部材２０の支持部２１がマグネットのため、髪の毛が絡まず、マスクカバー３０側の素材を傷めることもない。【選択図】図１
0003205108.tif 000002
【実用新案登録請求の範囲】
【請求項１】
顔面（１０）へ装着される顔面装着部材（３０）と、これを支持するため予め顔面（１０）へ取付けられるアンカー部材（２０）とを備えた顔面装着部材の支持構造において、
前記アンカー部材（２０）の表面に前記顔面装着部材（３０）の支持部（２１）を設け、
前記顔面装着部材（３０）の前記アンカー部材（２０）へ重なる部分（３２）に被支持部（３３）を設けるとともに、
前記支持部（２１）と前記被支持部（３３）の少なくとも一方をマグネットで構成し、他方をこのマグネットへ磁力で吸着される強磁性体で構成したことを特徴とする顔面装着部材の支持構造。
【請求項２】
前記支持部（２１）がマグネットで構成され、前記被支持部（３３）は強磁性体からなり、機械的又は化学的に顔面装着部材（３０）へ取付けられていることを特徴とする請求項１に記載した顔面装着部材の支持構造。
【請求項３】
前記被支持部（３３）がマグネットで構成され、前記支持部（２１）は強磁性体からなることを特徴とする請求項１に記載した顔面装着部材の支持構造。
【請求項４】
前記被支持部（３３）は前記支持部（２１）との間に前記顔面装着部材（３０）を挟んだ状態で前記支持部（２１）へ磁力で吸着されることにより、前記顔面装着部材（３０）を前記アンカー部材（２０）へ固定することを特徴とする請求項１〜３のいずれか１項に記載した顔面装着部材の支持構造。
【考案の詳細な説明】
【技術分野】
【０００１】
この考案は、予め顔面へ取付けたアンカー部材により、マスク等の顔面装着部材を支持する構造に関する。
【背景技術】
【０００２】
顔面へ予めアンカー部材を取付け、このアンカー部材を介してマスクを着脱自在に顔面へ装着するものは公知である。このようにしたマスクは、従来のように耳掛け紐を介して耳へ取付けないので、長時間使用しても耳の付け根が痛くなるようなことが無く、快適に使用できる（特許文献１）。
さらに、耳掛け紐のないマスクの他の例として、マスクをマスク本体と左右方向端部に分離し、左右方向端部を粘着部とし、これを粘着材で顔面へ取付けるとともに、この部分の表面と、これに重なるマスク本体の端部内側に面ファスナー等からなる接続部を設け、この接続部でマスク本体を粘着部と分離・結合することにより、マスク本体を顔面上へ着脱自在にしたものもある（特許文献２）。
【先行技術文献】
【特許文献】
【０００３】
【特許文献１】特許第４６８４３１８号公報
【特許文献２】特開２００７−２０９８３号公報
【考案の概要】
【考案が解決しようとする課題】
【０００４】
ところで、上記特許文献１のように突出する係合部を備えたアンカー部材は、顔面へ取付けたとき係合部が顔面から大きく突出して視界に入るので顔面へ取付けておくことが煩わしくなる。したがって、アンカー部材を極力薄くすることが望まれている。
また、上記特許文献２のようにアンカー部材を面ファスナーで構成すると、アンカー部材を髪の毛の近くで使用するため、面ファスナーを顔面へ取付けるとき髪の毛を絡ませないように、髪の毛を避けて取付けなければならず取付が面倒になった。また、顔面へ取付けた面ファスナーに髪の毛が絡むと不快になったり、マスク等の顔面装着部材との係合力が低下することがあった。そのうえ面ファスナーには、髪の毛以外の糸くずのようなゴミなども付着しやすくなるため汚れやすくなった。また、面ファスナーに指先等でさわるとザラザラとした肌触りがあり不快になった。
さらに、面ファスナーを直接マスクと係脱させると、マスク等の顔面装着部材の素材を毛羽立てて傷めてしまった。
そこで、アンカー部材を薄くするとともに、髪の毛等が絡みにくく、マスク等の顔面装着部材の素材を傷めず、そのうえ肌触りもよい顔面装着部材の支持構造の実現を目的とする。
【課題を解決するための手段】
【０００５】
上記課題を解決するため本願の第１の考案は、顔面（１０）へ装着される顔面装着部材（３０）と、これを支持するため予め顔面（１０）へ取付けられるアンカー部材（２０）とを備えた顔面装着部材の支持構造において、
前記アンカー部材（２０）の表面に前記顔面装着部材（３０）の支持部（２１）を設け、
前記顔面装着部材（３０）の前記アンカー部材（２０）へ重なる部分（３２）に被支持部（３３）を設けるとともに、
前記支持部（２１）と前記被支持部（３３）の少なくとも一方をマグネットで構成し、他方をこのマグネットへ磁力で吸着される磁性体で構成したことを特徴とする。
【０００６】
第２の考案は、前記支持部（２１）がマグネットで構成され、前記被支持部（３３）は強磁性体からなり、機械的又は化学的に顔面装着部材（３０）へ取付けられていることを特徴とする。
【０００７】
第３の考案は、前記被支持部（３３）がマグネットで構成され、前記支持部（２１）は強磁性体からなることを特徴とする。
【０００８】
第４の考案は、前記被支持部（３３）が前記支持部（２１）との間に前記顔面装着部材（３０）を挟んだ状態で前記支持部（２１）へ磁力で吸着されることにより、前記顔面装着部材（３０）を前記アンカー部材（２０）へ固定することを特徴とする。
【考案の効果】
【０００９】
請求項１の考案によれば、アンカー部材の支持部と顔面装着部材の被支持部とを、いずれか一方がマグネットで、他方が強磁性体の組み合わせとすることにより、被支持部がアンカー部材の支持部へ磁力で吸着される構成にしたので、アンカー部材を薄くすることができ、顔面へ取付けたとき視界へ入りにくくして快適に使用できるようになる。
また、アンカー部材を髪の毛の近くで使用しても、髪の毛に絡みにくくなり、顔面への取付けが容易になる。また髪の毛がアンカー部材へ絡むことによる不快感や、被支持部に対する支持力低下も生じにくくなる。
そのうえ、髪の毛以外の糸くずのようなゴミなども付着しにくくなるため長期間使用しても汚れにくくなる。
さらに、指先等で触っても肌触りが良好となる。そのうえ、顔面装着部材の素材を傷めることもない。
【００１０】
第２の考案によれば、支持部をマグネットとし、被支持部を強磁性体としたので、比較的重量があるマグネット側を支持部として顔面へ取付けることで、重量のあるマグネットを顔面上へ安定させて支持することができる。
また、顔面装着部材の被支持部を比較的軽量にでき、交換用の顔面装着部材を軽量化できる。そのうえ、機械的又は化学的に簡単に取付けできる。
【００１１】
請求項３の考案によれば、被支持部をマグネットとし、支持部を強磁性体としたので、顔面装着部材を装着しないときも顔面へ取付けておく可能性があるアンカー部材を軽量にして、違和感なく長時間顔面へ取付けることを可能にする。
【００１２】
請求項４の考案によれば、被支持部と支持部の間に顔面装着部材を挟んで固定するので、被支持部を顔面装着部材へ取付けず別体にしたままにしておくことができる。このため、被支持部の顔面装着部材に対する取付工程を省略することができる。
【図面の簡単な説明】
【００１３】
【図１】装着前状態を示す斜視図
【図２】装着時状態を示す斜視図
【図３】アンカー部材の斜視図及び断面図
【図４】磁力吸着部材の模式図
【図５】別形式のアンカー部材と磁力吸着部材の模式図
【考案を実施するための形態】
【００１４】
以下、図面に基づいて顔面装着部材をマスクカバーとし、アンカー部材にマグネットを設けた一実施形態を説明する。図１はマスクカバーを装着する途中の状態、図２は装着後の状態をそれぞれ示す。
顔面１０の耳１１近傍における左右両頬１２に予めアンカー部材２０が取付けられている。アンカー部材２０の表面にはマグネットで構成された支持部２１が設けられている。アンカー部材２０は、頬１２のうち、鼻１３と耳１１の中間部で耳１１寄りの位置に取付けられている。１４は目、１５は口、１６は顎（図１）、１７は耳前方の髪の毛（「もみあげ」ともいう）である。
【００１５】
なお、アンカー部材２０の取付位置は顔面装着部材の種類等に応じて任意に設定できる。本実施例では、マスクカバー３０の支持に適した、鼻１３の先端側後方かつ耳の穴前方に位置する突起１１ａの前方となる頬骨上位置１２ａになっている。この位置は、耳たぶ１１ｂの近傍でもあって、アンカー部材２０を容易に取付けできるスペースがあるとともに、マスクカバー３０を装着せず、アンカー部材２０を顔面１０に露出させて使用する場合に周囲から見えやすい位置でもある。なお、図１のマスクカバー３０は、顔面１０を覆う前の状態と、覆いかけた状態の二態様を同時に示している。
【００１６】
また、耳前方の髪の毛１７と耳１１との間に形成される耳前方部１２ｂも、マスクカバー３０を支持するアンカー部材２０の取付位置に適している。この位置は、特に化粧をした女性などにおいても、この部分はほとんど化粧がされないため、アンカー部材２０を着脱しても化粧が乱れる心配のない部分である。
なお、耳前方部１２ｂは、比較的前後方向（横幅方向）の狭い部分であるが、アンカー部材２０を図示形状と異なる楕円等の縦長形状にしておけば、耳前方部１２ｂへ容易に取付けることができる。
【００１７】
左右のアンカー部材２０にはマスクカバー３０の左右両端部である延出部３２がマグネットで構成された支持部２１の磁力により着脱自在に止着される。
延出部３２の裏側（顔面１０に対面する側）でアンカー部材２０に重なる位置には被支持部３３が設けられている。この例における被支持部３３は、強磁性体等の金属からなり、延出部３２の裏面へ予め取付けられている。
【００１８】
被支持部３３はアンカー部材２０のマグネットである支持部２１が発生する磁力で支持部２１へ吸着される部材である。その結果、被支持部３３をアンカー部材２０の支持部２１へ磁力で吸着させることにより、マスクカバー３０はアンカー部材２０へ着脱自在に取付けられて支持され、顔面１０上へ装着される。
【００１９】
マスクカバー３０は不織布等の通気性を有する繊維素材であり、左右の頬１２間を横断して顔面１０の下半部全体を覆う左右方向へ長い部材であり、鼻１３、口１５、顎１６を覆う。但し、顎１６を覆わない形状のものでも良い。
【００２０】
マスクカバー３０は顔面装着部材であるフェイスカバーの一例であり、左右方向中間部のカバー本体部３１と、その左右両側から耳１１方向へ延びる延出部３２を一体に備え、顔面へフィットするように立体的に形成されている。
なお、マスクカバー３０の素材は、フェルトや、不織布又はガーゼのような織布などの布、さらには通気性を確保したプラスチック製フィルムのようなものでもよい。
【００２１】
カバー本体部３１の裏側には、医療用もしくは衛生用の交換マスク３４が重ねられている。交換マスク３４は、例えば花粉対策として５μｍ以上の微粒子を捕捉できる家庭用の衛生マスクであり、市販されている既製品である。但し、耳掛け紐のないフィルター本体部のみからなり、ガーゼや不織布などの適当な素材を単純に四角状に折り畳んだものでもよい。また、マスクの性能は、より小さな微粒子を捕捉できる医療用や産業用のものでもよい。
なお、マスクカバー３０は通気性を有する例えば不織布製のものであって、多少のフィルター機能を有する場合でも、そのフィルター性能は家庭用の衛生マスクレベルより低いものとなっている。
【００２２】
この交換マスク３４は、カバー本体部３１の裏側へ重ねられることにより、鼻１３、目１４もしくは口１５を覆った状態で、マスクカバー３０により顔面１０上へ固定される。但し、交換マスク３４をマスクカバー３０へより確実に固定させるには、必要により両面接着テープ等により仮止めすることもできる。
【００２３】
図３はアンカー部材２０の詳細を示す。図３は（Ａ）にアンカー部材２０の斜視図、（Ｂ）に（Ａ）のＢ−Ｂ線断面図を示す。これらにおいて、アンカー部材２０は、表面の支持部２１、その裏面側に設けられた弾性層２２及び粘着層２３を備える。
支持部２１は所定形状に成形された公知の固定磁石やフェライト磁石、さらにはマグネット素材をシート状にしたマグネットシート等を適宜用いて形成される。その形状やサイズ等は任意である。
【００２４】
この例では、支持部２１が弾性層２２（粘着層２３）よりも小径の円柱状をなし、周囲を固定部材２４により固定されている。固定部材２４は樹脂等の適宜部材からなる外形が弾性層２２（粘着層２３）と同形（円形）・同寸の部材であり、中央に設けた穴へ支持部２１を嵌合することにより、支持部２１を固定部材２４と一体化している。支持部２１は固定部材２４より若干表面側へ突出し、被支持部３３を吸着しやすくなっている。
【００２５】
固定部材２４は、支持部２１が弾性層２２（粘着層２３）より小さいとき、弾性層２２（粘着層２３）を設けるために設けられる。また、固定部材２４を設けずに大きな弾性層２２へ小さな支持部を設けたとき、支持部２１が指先等との接触で剥がれ易くなることを防ぐことができる。なお、支持部２１が弾性層２２（粘着層２３）と同形同寸の場合は、固定部材２４を省略することができる（図５参照）。また、弾性層２２が支持部２１を支持できる程度の堅さを有するときも固定部材２４を省略することができる。
【００２６】
支持部２１及び固定部材２４の裏面は面一な.平滑面をなし、ここにスポンジ等の柔軟で変形容易な弾性材料からなる弾性層２２が接着等で取付けられている。
弾性層２２の裏面にはさらに適当な粘着剤が塗布された粘着層２３が形成され、顔面１０へ取付可能である。
【００２７】
なお、弾性層２２は、アンカー部材２０を顔面１０へ取付けるとき、粘着層２３が顔面１０の曲面になじんで変形できるようにするためのものであり、粘着層２３自体もしくは固定部材２４がこのような変形を可能にするものであれば省略可能であり、弾性層２２は必要により設けられる。アンカー部材２０はマグネットの支持部２１を設けることにより、薄型でかつ表面が平滑で肌触りのよいものになる。
【００２８】
支持部２１を除くアンカー部材２０の表面側には、必要により装飾層２５が印刷等により形成されている。装飾層２５は図３の（Ｂ）のみに示してある。装飾層２５はアンカー部材２０における装飾面でもある。なお、図３の（Ｂ）は、弾性層２２、粘着層２３及び装飾層２５を概略的にかつ誇張したサイズの表記になっている。
【００２９】
装飾層２５は支持部２１の上から印刷等で着色形成され、例えば、宝飾類（ビジュー）を模した宝飾風装飾印刷（ビジュー印刷という）となっている。
また、ビジュー印刷とすることにより、アンカー部材２０を顔面１０へ取付けたまま、これへマスクカバー３０を止着しない状態で、顔面１０を装飾する宝飾風顔面アクセサリーとすることができる。したがって、アンカー部材２０を単独で比較的長時間、顔面１０上へ有意義に取付けておくことが可能になる。
但し、装飾層２５としてビジューの印刷は必須ではなく、宝飾風以外の模様や形状等からなる適宜装飾にすることができる。
【００３０】
また、マスクカバー３０を単に顔面１０上へ止着するためだけの目的でアンカー部材２０を用いる場合、このアンカー部材２０は装飾的に構成されないシンプルなものであってもよい。例えば、帯板状で供給される原料のマグネットシートから、正方形又は長方形等の装飾性のない形状にカットしただけの支持部２１を使用できる。また、適当形状にカットされたものを、表面に印刷や着色等の特別な装飾を施さず地色の素材のまま使用することもできる。
【００３１】
図４は被支持部３３及びその延出部３２に対する取付けを示す。図４の（Ａ）は、延出部３２へ機械的に取付けるようにした例であり、被支持部３３は、支持部２１と同様な形状（円形）及びサイズをなす、薄板状の強磁性体（例えば、鉄）からなる吸着本体部３３ａと、その周方向対向位置に設けられた一対の爪３３ｂを備える。爪３３ｂの数や大きさ並びに配置は任意である。
【００３２】
この爪３３ｂを略直角に折り曲げて立てた状態にした被支持部３３を、延出部３２の裏面から押しつけて爪３３ｂを延出部３２に突き刺して表側へ出し、ここで爪３３ｂを吸着本体部３３ａ上へ重なるように折り曲げると、被支持部３３が延出部３２へ機械的にかつ簡単に取付けられる。なお、被支持部３３を延出部３２へ機械的に取付けるための他の構造として、被支持部３３をホックにしてもよい。
【００３３】
図４の（Ｂ）は、被支持部３３を延出部３２へ接着（粘着）により化学的に取付ける例を示す。この例の被支持部３３は、爪が設けられず、その代わりに、吸着本体部３３ａの延出部３２へ重ねられる面に接着（粘着）層３３ｃを形成し、その上に剥離紙３３ｄを貼ってある。
剥離紙３３ｄを剥がして、接着（粘着）層３３ｃを延出部３２の裏面へ押しつければ、吸着本体部３３ａが接着（粘着）により化学的に延出部３２へ結合される。このため、延出部３２へ被支持部３３を化学的にかつ簡単に取付けることができる。
【００３４】
図５は、被支持部３３を延出部３２へ予め取付けずに使用する例を示す。（Ａ）は被支持部３３を一体化した状態におけるアンカー部材２０の斜視図、（Ｂ）は延出部３２を固定する際における展開図、（Ｃ）は延出部３２を固定した状態における固定部の斜視図、（Ｄ）は（Ｃ）におけるＤ−Ｄ線に沿う断面図である。
【００３５】
この例では、支持部２１が弾性層２２（粘着層２３）と同形同寸に形成されている。また、被支持部３３は吸着本体部３３ａのみで構成されるが、例えば支持部２１とほぼ同形同寸に形成され、マスクカバー３０を装着しないときは、（Ａ）に示すように、延出部３２へ取付けられず、アンカー部材２０の支持部２１へ吸着しておく。なお、被支持部３３には必要により装飾層２５と同様の装飾を施しておくこともできる。
マスクカバー３０を装着するときは、（Ｂ）に示すように、被支持部３３を支持部２１から分離し、延出部３２を支持部２１の上へ重ね、さらにその上から被支持部３３をアンカー部材２０側へ押しつける。
【００３６】
すると、（Ｃ）及び（Ｄ）に示すように、被支持部３３が延出部３２を挟んでアンカー部材２０の支持部２１へ吸着されるので、延出部３２はアンカー部材２０へ固定される。マスクカバー３０を顔面から外すときは、被支持部３３を延出部３２から離すように引っ張ると、被支持部３３が支持部２１から引き離されて、延出部３２がアンカー部材２０から解放されるので、マスクカバー３０を顔面から外すことができる。
その後、被支持部３３を支持部２１へ吸着させて、（Ａ）の当初状態へ戻る。
【００３７】
このように、被支持部３３を延出部３２へ直接取付けないで使用すると、被支持部３３を延出部３２へ取付ける工程を省略できる。また、被支持部３３はマグネットの支持部２１へ吸着させてアンカー部材２０と一体化しておくことができ、特別な収納場所を設ける必要がないので便利である。
【００３８】
しかも、延出部３２の固定位置を調整して、延出部３２にたるみが生じないように取付けできるので、マスクカバー３０の装着時における顔面フィット感を高めることができる。また、被支持部３３に装飾を施しておけば、マスクカバー３０装着時もマスクカバー３０を装着せずアンカー部材２０のみを単独使用するときも、顔面装飾に役立たせることができる。
【００３９】
なお、図４及び図５の例において、被支持部３３をマグネットで構成することもできる。この場合、アンカー部材２０は、支持部２１をマグネットに代えて、強磁性体の金属板等からなる磁力吸着部材を用いるようにする。このようにして、アンカー部材２０が薄型でかつ表面が平滑で肌触りのよいものになることは同じである。また、被支持部３３をマグネットにした場合でも、被支持部３３が磁力で支持部２１へ吸着されることに変わりはない。
【００４０】
次に、マスクカバー３０の顔面１０に対する装着について説明する。なお、以下の説明における被支持部３３は図４の（Ａ）に示すものとする。
【００４１】
図１に示すように、カバー本体部３１の裏側へ交換マスク３４を重ね、予め一方側の被支持部３３をアンカー部材２０へ係合させ、カバー本体部３１及び交換マスク３４を、鼻１３及び口１５の上へ重ね、他方側の被支持部３３を対向する側のアンカー部材２０へ重ねて、マグネットである支持部２１へその磁力で吸着させる。
これにより、図２に示すように、マスクカバー３０は左右両端の被支持部３３が左右両頬１２上のアンカー部材２０へ吸着固定されることにより顔面１０上に止着固定され、同時に交換マスク３４もマスクカバー３０により顔面１０上に固定される。
【００４２】
この装着状態において、左右の延出部３２は交換マスク３４から左右へ延び、耳１１近傍まで頬１２の上を覆う。また、上下方向にても、カバー本体部３１の上下部が交換マスク３４の上下を越えて長く延びだしている。
【００４３】
したがって、マスクカバー３０は交換マスク３４を完全に覆い、交換マスク３４を露出させないため、顔面装飾部材としても機能している。マスクカバー３０の表面に適宜な装飾模様を形成したり、カラフルに着色したり、全体形状を装飾的にすれば、さらに顔面装飾部材としての効果を高めることができる。
また、交換マスク３４を耳掛け紐で耳１１へ掛けないため、長時間装着しても耳の付け根が痛くなることがない。
【００４４】
交換マスク３４は、必要により交換自由である。交換する場合は、まず、マスクカバー３０の左右の被支持部３３のうち少なくとも一方をアンカー部材２０から外せば、マスクカバー３０を顔面１０から離し、交換マスク３４だけをマスクカバー３０及び顔面１０から取り外すことができ、交換マスク３４のみを交換してマスクカバー３０の内側へ重ね、再びマスクカバー３０の左右の被支持部３３を対応するアンカー部材２０へ係合すれば、顔面１０上に新たな交換マスク３４を装着できる。
【００４５】
しかも、複数の交換マスク３４は既製品（耳掛け紐がある場合はこれを切除するか、もしくはそのまま残した状態のもの）が利用できるとともに、これらに対して共通のマスクカバー３０を使用できるので、マスクカバー３０を専用品とせず、複数のマスクを交換できるようになり汎用性が増す。
【００４６】
また、アンカー部材２０は予め顔面１０へ取り付けたままとしておくことができる。アンカー部材２０は顔面へ粘着剤により取付けてから一度剥がすと、粘着剤の表面に皮脂が付着することにより、粘着力が低下するため繰り返し使用が難しくなるが、アンカー部材２０を剥がさなければアンカー部材２０は顔面１０に対する当初の取付状態を維持し、アンカーとしての機能を失わない。そこで、アンカー部材２０を剥がさず、マスクカバー３０のみを脱着することにより、顔面１０へマスクカバー３０を複数回着脱できる。
【００４７】
しかも、マスクカバー３０を装着しないときは、アンカー部材２０が顔面１０の上に露出して配置されることになるが、アンカー部材２０の表面には印刷により装飾が施されているので、アンカー部材２０を積極的に顔面１０の装飾部材として機能させることができ、アンカー部材２０を単独で顔面１０の上に残し、マスクカバー３０と関係なく顔面装飾部材として使用できる。
【００４８】
次に、本実施形態による効果を説明する。図１及び図２に示すように、アンカー部材２０の支持部２１をマグネットとし、マスクカバー３０（顔面装着部材）の延出部３２に設けられる被支持部３３を磁性体としたので、延出部３２の被支持部３３をアンカー部材２０の上へ重ねるだけで、支持部２１のマグネットにより磁力で被支持部３３を吸着でき、マスクカバー３０をアンカー部材２０を介して顔面１０へ着脱自在にかつ簡単に止着できる。
【００４９】
このとき、支持部２１をマグネット、被支持部３３を鉄等の強磁性体で構成にしたので、アンカー部材２０を極力薄くすることができ、顔面１０へ取付けたときも視界に入りにくくなるので、顔面へ取付けておいても煩わしくなく、長時間の取付が可能になる。
また、アンカー部材２０を顔面１０の上にて髪の毛の近くで使用しても、髪の毛に絡みにくくなり、顔面１０への取付けが容易になる。また髪の毛がアンカー部材２０へ絡むことによる不快感や、被支持部３３に対する支持力低下も生じにくくなる。
【００５０】
そのうえ、アンカー部材２０には髪の毛以外の糸くずのようなゴミなども付着しにくくなるため長期間使用しても汚れにくくなる。
さらに、指先等で触っても肌触りが良好となる。そのうえ、マスクカバー３０の素材を傷めることもない。
【００５１】
なお、アンカー部材２０の支持部２１とマスクカバー３０の被支持部３３とを、いずれか一方がマグネットで、他方が磁性体とする組み合わせにすることは自由であり、いずれの組み合わせでも、上記効果が得られる。また、マスクカバー以外の顔面装着部材を用いる場合も同様である。
【００５２】
さらに、図４に示すように、支持部２１をマグネットとし、被支持部３３を強磁性体の金属（鉄等）にすれば、比較的重量があるマグネット側を支持部２１として顔面１０へ取付けることで、重量のあるマグネットを顔面１０上へ安定させて支持することができる。
また、マスクカバー３０（顔面装着部材）の被支持部３３を薄板状の鉄等で構成することにより比較的軽量にでき、交換用のマスクカバー３０（顔面装着部材）を軽量化できる。そのうえ、被支持部３３は、図４の（Ａ）のように機械的、又は図４の（Ｂ）のように化学的に簡単に取付けできる。
【００５３】
また、被支持部３３をマグネットとし、支持部２１を強磁性体の金属とすれば、マスクカバー３０（顔面装着部材）を装着しないときも顔面１０へ取付けておく可能性があるアンカー部材２０を軽量にして、違和感なく長時間顔面１０へ取付けることが可能になる。
【００５４】
また、図５に示すように、被支持部３３と支持部２１の間にマスクカバー３０（顔面装着部材）の延出部３２を挟んで固定すると、被支持部３３を延出部３２へ取付けず別体にしたままにしておくことができる。このため、被支持部３３の延出部３２に対する取付工程を省略することができる。また、被支持部３３を外観される装飾部材として活用することもできる。
【００５５】
なお、本願考案は上記実施形態に限定されるものではなく、考案の原理内において種々に変形や応用が可能である。例えば、マスクカバー３０が簡易なフィルター機能を有する通気性素材で構成されている場合は、内側の交換マスク３４を省略した状態で、被支持部３３をアンカー部材２０へ止着すれば、交換マスク３４抜きで、直接鼻１３や口１５を覆って比較的大きな埃等を防ぐ簡易マスクもしくは冬期の防寒マスクとして、マスクカバー３０を使用することもできる。この場合も、素材や色の選択もしくは表面へ適当な模様等の装飾を施すこと等により、顔面装飾部材としても機能させることができる。
【００５６】
さらに、アンカー部材２０に止着する顔面装着部材は、マスクカバー３０やマスクに限らず、各種のお面やアイマスクなど、顔面の少なくとも一部を覆うように取付けられるフェイスカバー、もしくはアンカー部材２０に止着される、例えば、宝飾的に構成されたなどの顔面アクセサリーとして用いられるもの等、各種の顔面装着部材が可能である。
【符号の説明】
【００５７】
１０：顔面、１１：耳、１２：頬、１３：鼻、２０：アンカー部材、２１：支持部、３０：マスクカバー、３２：延出部、３３：被支持部、３４：交換マスク
【図１】
0003205108.tif 000003
【図２】
0003205108.tif 000004
【図３】
0003205108.tif 000005
【図４】
0003205108.tif 000006
【図５】
0003205108.tif 000007